(57)【特許請求の範囲】
【請求項１】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、
前記監視装置は、
前記自動改札装置から送信される異常内容を受信し、この受信した異常内容を表示する表示手段と、
前記自動改札装置の異常状態を解除するための前記第２の異常解除信号を前記自動改札装置に対して送信する第２の送信手段と、
前記異常解除信号入力手段を、その機能を有効にする第１のモードあるいは無効にする第２のモードに選択的に設定するためのモード設定信号を前記自動改札装置に対して送信する第３の送信手段とを具備し、
さらに、前記異常解除信号入力手段が第２のモードに設定されているとき、その異常解除信号入力手段を強制的に第１のモードに切換え設定するモード変更手段を具備したことを特徴とする自動改札システム。
【請求項２】
前記モード変更手段は前記自動改札装置に設けられていることを特徴とする請求項１記載の自動改札システム。
【請求項３】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、
前記監視装置は、
前記自動改札装置から送信される異常内容を受信し、この受信した異常内容を表示する表示手段と、
前記自動改札装置の異常状態を解除するための前記第２の異常解除信号を前記自動改札装置に対して送信する第２の送信手段と、
前記異常解除信号入力手段を、その機能を有効にする第１のモードあるいは無効にする第２のモードに選択的に設定するためのモード設定信号を前記自動改札装置に対して送信する第３の送信手段とを具備し、
さらに、前記異常解除信号入力手段が第２のモードに設定されているとき、その異常解除信号入力手段を強制的に第１のモードに切換え設定するモード変更手段と、
このモード変更手段で前記異常解除信号入力手段が強制的に第１のモードに設定されたのに基づき、その旨を係員に報知する報知手段を具備したことを特徴とする自動改札システム。
【請求項４】
前記報知手段は、前記自動改札装置に設けられていることを特徴とする請求項３記載の自動改札システム。
【請求項５】
前記モード変更手段および報知手段は、前記自動改札装置に設けられていることを特徴とする請求項３記載の自動改札システム。
【請求項６】
前記報知手段は、前記監視装置に設けられていることを特徴とする請求項３記載の自動改札システム。
【請求項７】
前記報知手段は、あらかじめ設定される所定の時間だけ動作することを特徴とする請求項３記載の自動改札システム。
【請求項８】
通行者が提示する記録媒体から改札情報を読取って改札業務を自動的に行なう自動改札装置と、この自動改札装置の状態監視や状態設定などを行なう監視装置とを具備する自動改札システムにおいて、
前記自動改札装置は、
通行者が提示する記録媒体から改札情報を読取る読取手段と、
この読取手段で読取った改札情報に基づき前記通行者の通行可否を決定する通行可否決定手段と、
この通行可否決定手段の結果が通行不可のとき、その異常内容を前記監視装置に対して送信する第１の送信手段と、
前記通行可否決定手段の結果が通行不可のとき、その旨を前記通行者に対して報知するとともに、本自動改札装置を異常状態に設定する第１の制御手段と、
前記異常状態を解除するための第１の異常解除信号を入力する異常解除信号入力手段と、
前記監視装置から送信される第２の異常解除信号を受信する第１の受信手段と、
前記異常解除信号入力手段で第１の異常解除信号が入力されたのに基づき、あるいは、前記第１の受信手段で第２の異常解除信号を受信したのに基づき、前記異常状態を解除する異常解除手段と、
前記監視装置から送信されるモード設定信号を受信し、この受信したモード設定信号により、前記異常解除信号入力手段を、その機能を有効にする第１のモードあるいは無効にする第２のモードに設定するモード設定手段と、
前記異常解除信号入力手段が第２のモードに設定されているとき、その異常解除信号入力手段を強制的に第１のモードに切換え設定するモード変更手段と、
このモード変更手段で前記異常解除信号入力手段が強制的に第１のモードに設定されたのに基づき、モード変更信号を前記監視装置に対して送信する第２の送信手段と、
前記監視装置から送信されるモード復帰信号を受信し、この受信したモード復帰信号により、前記モード変更手段で強制的に第１のモードに設定された前記異常解除信号入力手段を第２のモードに復帰させる第２の制御手段とを具備し、
前記監視装置は、
前記自動改札装置から送信される異常内容を受信し、この受信した異常内容を表示する第１の表示手段と、
前記自動改札装置の異常状態を解除するための前記第２の異常解除信号を前記自動改札装置に対して送信する第３の送信手段と、
前記異常解除信号入力手段を、その機能を有効にする第１のモードあるいは無効にする第２のモードに選択的に設定するためのモード設定信号を前記自動改札装置に対して送信する第４の送信手段と、
前記自動改札装置から送信されるモード変更信号を受信し、この受信したモード変更信号により、前記異常解除信号入力手段が強制的に第１のモードに設定されたことを表示する第２の表示手段と、
前記モード変更手段で強制的に第１のモードに設定された前記異常解除信号入力手段を第２のモードに復帰させるためのモード復帰信号を前記自動改札装置に対して送信する第５の送信手段とを具備したことを特徴とする自動改札システム。
【請求項９】
前記自動改札装置は、前記モード変更手段で前記異常解除信号入力手段が強制的に第１のモードに設定されたのに基づき、その旨を表示する表示手段を更に具備したことを特徴とする請求項８記載の自動改札システム。
【請求項１０】
前記表示手段は、あらかじめ設定される所定の時間だけ動作することを特徴とする請求項９記載の自動改札システム。
【発明の詳細な説明】
【０００１】
【発明の属する技術分野】
本発明は、たとえば、鉄道関係の駅に設置され、通行者が投入する乗車券から改札情報を読取って改札業務を自動的に行なう自動改札装置と、この自動改札装置と電気的に接続され、自動改札装置の状態監視や状態設定などを行なう監視装置とを具備する自動改札システムに関する。
【０００２】
【従来の技術】
近年、たとえば、鉄道関係において、改札業務の省力化を目的として、鉄道などの施設の入場口あるいは出場口などに設けられ、施設を利用する利用者（通行者）が施設に入場あるいは出場する際、または、施設の乗換えを行なう際、通行者が携帯する乗車券（記録媒体）を取込んで検査し、乗車券が正当であれば通行者の通過を許可し、不当であればドアを閉じて通行者の通過を阻止する自動改札装置が導入されている。
【０００３】
この種の自動改札装置では、券づまりや判定異常などの異常が発生すると、異常状態に設定して、ブザーを鳴動させるなどの警報を発し、ドアを閉じて通行者の通行を阻止するとともに、表示機能および音声案内機能により、通行者に対して異常内容と対応方法の案内を行なっている。
【０００４】
そして、このような異常状態になった場合、自動改札装置本体に設けられたリセットスイッチを係員が押下することにより、その異常状態をリセット（解除）できるようになっている。
【０００５】
また、各入場口あるいは各出場口に設置された自動改札装置は、係員のいる監視室（駅係員窓口）に設置され、それらの状態監視や状態設定などを行なうための監視装置にそれぞれ電気的に接続されている。監視装置では、自動改札装置での異常発生時にブザーが鳴動するとともに、発生した異常の詳細内容を表示するようになっている。
【０００６】
また、監視装置からは、各自動改札装置に対して警報の停止を行なうことができ、特定の異常内容については、リセットスイッチを押下することにより、各自動改札装置の異常状態をリセット（解除）する機能を有している。
【０００７】
さらに、監視装置では、各自動改札装置における処理データ（通過人員、駅別通過データ、プリペイドカードの利用金額）などを表示したり、記録したりするようになっている。
【０００８】
なお、リセットスイッチの機能としては、上記した異常状態のリセットの外、以下のような目的にも用いられている。すなわち、一般に、弱者（たとえば、老人、妊婦、身障者など）が自動改札装置を通過する際、安全上の問題などから、係員が弱者の通過を配慮する。そのために、自動改札装置をリセット状態（係員がリセットスイッチを押下している状態）で、弱者が自動改札装置の通過が可能となるようにしている。
【０００９】
この場合、自動改札装置のリセットは、自動改札装置本体に設けられたリセットスイッチと、監視装置に設けられたリセットスイッチの両方で可能であるが、自動改札装置の付近にいる係員は直接、自動改札装置をリセット状態にして弱者を誘導する。
【００１０】
【発明が解決しようとする課題】
ところが、上述した従来の技術には以下のような問題点があった。
すなわち、たとえば、乗車券が不当（不正乗車をも含む）である通行者に対しては通過を阻止するが、自動改札装置のリセットスイッチは、駅係員が即時、操作可能な位置に設けられているので、乗車券が不当な通行者が容易にセットスイッチを押下して、不正乗車を回避することが可能である。
【００１１】
また、そのために、監視装置からの設定で、自動改札装置のリセットスイッチによる直接リセットを不可にして、不正乗車した通行者による自動改札装置のリセットを阻止することも実施されている。
【００１２】
この場合、自動改札装置の付近にいる係員が自動改札装置をリセットする場合、監視室内の監視装置のリセットスイッチで自動改札装置をリセットする方法と、監視装置からの設定を自動改札装置のリセットスイッチによる直接リセット可能にして、係員が自動改札装置を直接リセットする方法がある。しかし、前者の方法では、係員がわざわざ監視室まで行かなければ自動改札装置をリセットできず、また、後者の方法では、不正乗車した通行者によるリセットは阻止できない。
【００１３】
そこで、本発明は、たとえば、不正乗車した通行者による自動改札装置のリセット（異常状態の解除）を阻止して、自動改札装置付近の係員が即時リセットすることを同時に可能とする自動改札システムを提供することを目的とする。
【００１４】
【課題を解決するための手段】
本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、前記監視装置は、前記自動改札装置から送信される異常内容を受信し、この受信した異常内容を表示する表示手段と、前記自動改札装置の異常状態を解除するための前記第２の異常解除信号を前記自動改札装置に対して送信する第２の送信手段と、前記異常解除信号入力手段を、その機能を有効にする第１のモードあるいは無効にする第２のモードに選択的に設定するためのモード設定信号を前記自動改札装置に対して送信する第３の送信手段とを具備し、さらに、前記異常解除信号入力手段が第２のモードに設定されているとき、その異常解除信号入力手段を強制的に第１のモードに切換え設定するモード変更手段を具備している。
【００１５】
また、本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段とを具備し、前記監視装置は、前記自動改札装置から送信される異常内容を受信し、この受信した異常内容を表示する表示手段と、前記自動改札装置の異常状態を解除するための前記第２の異常解除信号を前記自動改札装置に対して送信する第２の送信手段と、前記異常解除信号入力手段を、その機能を有効にする第１のモードあるいは無効にする第２のモードに選択的に設定するためのモード設定信号を前記自動改札装置に対して送信する第３の送信手段とを具備し、さらに、前記異常解除信号入力手段が第２のモードに設定されているとき、その異常解除信号入力手段を強制的に第１のモードに切換え設定するモード変更手段と、このモード変更手段で前記異常解除信号入力手段が強制的に第１のモードに設定されたのに基づき、その旨を係員に報知する報知手段を具備している。
【００１６】
さらに、本発明の自動改札システムは、通行者が提示する記録媒体から改札情報を読取って改札業務を自動的に行なう自動改札装置と、この自動改札装置の状態監視や状態設定などを行なう監視装置とを具備する自動改札システムにおいて、前記自動改札装置は、通行者が提示する記録媒体から改札情報を読取る読取手段と、この読取手段で読取った改札情報に基づき前記通行者の通行可否を決定する通行可否決定手段と、この通行可否決定手段の結果が通行不可のとき、その異常内容を前記監視装置に対して送信する第１の送信手段と、前記通行可否決定手段の結果が通行不可のとき、その旨を前記通行者に対して報知するとともに、本自動改札装置を異常状態に設定する第１の制御手段と、前記異常状態を解除するための第１の異常解除信号を入力する異常解除信号入力手段と、前記監視装置から送信される第２の異常解除信号を受信する第１の受信手段と、前記異常解除信号入力手段で第１の異常解除信号が入力されたのに基づき、あるいは、前記第１の受信手段で第２の異常解除信号を受信したのに基づき、前記異常状態を解除する異常解除手段と、前記監視装置から送信されるモード設定信号を受信し、この受信したモード設定信号により、前記異常解除信号入力手段を、その機能を有効にする第１のモードあるいは無効にする第２のモードに設定するモード設定手段と、前記異常解除信号入力手段が第２のモードに設定されているとき、その異常解除信号入力手段を強制的に第１のモードに切換え設定するモード変更手段と、このモード変更手段で前記異常解除信号入力手段が強制的に第１のモードに設定されたのに基づき、モード変更信号を前記監視装置に対して送信する第２の送信手段と、前記監視装置から送信されるモード復帰信号を受信し、この受信したモード復帰信号により、前記モード変更手段で強制的に第１のモードに設定された前記異常解除信号入力手段を第２のモードに復帰させる第２の制御手段とを具備し、前記監視装置は、前記自動改札装置から送信される異常内容を受信し、この受信した異常内容を表示する第１の表示手段と、前記自動改札装置の異常状態を解除するための前記第２の異常解除信号を前記自動改札装置に対して送信する第３の送信手段と、前記異常解除信号入力手段を、その機能を有効にする第１のモードあるいは無効にする第２のモードに選択的に設定するためのモード設定信号を前記自動改札装置に対して送信する第４の送信手段と、前記自動改札装置から送信されるモード変更信号を受信し、この受信したモード変更信号により、前記異常解除信号入力手段が強制的に第１のモードに設定されたことを表示する第２の表示手段と、前記モード変更手段で強制的に第１のモードに設定された前記異常解除信号入力手段を第２のモードに復帰させるためのモード復帰信号を前記自動改札装置に対して送信する第５の送信手段とを具備している。
【００１７】
本発明によれば、自動改札装置に設けられた異常解除信号入力手段（リセットスイッチ）を、その機能を有効にする第１のモードあるいは無効にする第２のモードに設定するモード設定手段を設けるとともに、異常解除信号入力手段が第２のモードに設定されているとき、その異常解除信号入力手段を強制的に第１のモードに切換え設定するモード変更手段を設けることにより、自動改札装置側での直接リセットが不可なモード時でも、係員による自動改札装置側での直接リセットが容易に可能となり、しかも、たとえば、不正乗車した通行者による自動改札装置のリセット（異常状態の解除）を阻止することが可能となる。
【００１８】
【発明の実施の形態】
以下、本発明の実施の形態について図面を参照して詳細に説明する。
図１は、本実施の形態に係る自動改札システムの構成を概略的に示すものである。複数（たとえば、１〜１６号機までの１６台）の自動改札装置１００，…は、たとえば、駅の改札口にそれぞれ設置されていて、通信ケーブル２００を介して監視装置３００にそれぞれ電気的に接続されている。監視装置３００は、各自動改札装置１００の稼動状況、異常状態などを監視するとともに、各自動改札装置１００の動作設定などを行なうためのもので、たとえば、係員のいる監視室（駅係員窓口）などに設置されている。
【００１９】
また、監視装置３００は、通信ケーブルを介して上位装置としてのデータ集計装置４００に電気的に接続されている。データ集計装置４００は、各自動改札装置１００の処理データなどを集計処理する。
【００２０】
図２は、自動改札装置１００の外観構成を概略的に示すものである。自動改札装置１００は、通常、２台１組として駅の改札口に設置され、両者の間に通行者が通行する改札用の通路が形成される。
【００２１】
自動改札装置本体２の上面の一端部には、改札情報が記録された記録媒体、たとえば、有効期間や利用区間などの改札情報が磁気エンコード記録された磁気式の乗車券（定期券、普通乗車券、回数券、ストアードフェアカードなど）が投入される投人口３が設けられ、他端部には、投人口３から受入れた乗車券を排出する取出口４が設けられている。なお、投人口３には、そこを必要に応じて開閉するシャッタ１５（図３参照）が設けられている。
【００２２】
本体２上の取出口４の前方には、通行者や駅員などに対して案内を行なうための案内表示部５が設けられている。また、本体２の通路側の側面で、出口部近傍には、乗車券の有効性判定の結果や通行者に対する案内指示を音声で行なうための音声案内用スピーカ６が設けられている。
【００２３】
本体２の通路側の側面の両端部には、それぞれ通行者の通行を制御する通行制御手段としての開閉動作可能なドア７，７が設けられており、通行可否の判定結果に基づき、このドア７，７が開閉制御されるようになっている。
【００２４】
本体２の上部には、通行者の通路を定義するための枠状のポール部（枠体）８が立設されでいる。そして、ポール部８および本体２の各通路側の側面には、通行者を検知する検知手段としての複数の光学的なセンサ、すなわち、出口検知器９，１０、進入検知器１１，１２、および、中央通過検知器１３がそれぞれ設けられている。上記各検知器９〜１３は、たとえば、赤外線センサなどが用いられている。
【００２５】
出口検知器９は、投入口３の部分を通過する通行者を検知し、出口検知器１０は、案内表示部５の部分を通過する通行者を検知し、進入検知器１１は、投入口３の前方を通過する通行者を検知し、進入検知器１２は、取出口４の部分を通過する通行者を検知し、中央通過検知器１３は、通路の中央部を通過する通行者を検知する。
【００２６】
ポール部８上には、本装置の動作状態（小児券の投入、無効券の投人や機器の異常など）を表示する状態表示部１４が設けられている。
本体２の両端面の下方部には、それぞれ異常状態を解除するための異常解除信号を入力する異常解除信号入力手段としての第１のリセットスイッチ１６，１６が設けられている。第１のリセットスイッチ１６，１６は、自動改札装置１００の異常状態をリセットする際、あるいは、弱者を通過させる際に係員が操作するものである。
【００２７】
ポール部８の両端部には、第１のリセットスイッチ１６，１６が後述するように機能を無効にする第２のモードに設定されているとき、その第１のリセットスイッチ１６，１６を強制的に機能を有効にする第１のモードに切換え設定するモード変更手段としてのリセット有効スイッチ１７，１７、および、リセット有効スイッチ１７，１７で第１のリセットスイッチ１６，１６が強制的に第１のモードに設定されたとき、その旨を係員に報知する報知手段としてのリセットスイッチ有効モード受付け表示器１８，１８が設けられている。リセット有効スイッチ１７，１７は、第１のリセットスイッチ１６，１６を強制的に第１のモードに切換え設定する際に係員が操作するものである。
【００２８】
図３は、本体２の内部構成を概略的に示すものである。すなわち、投人口３と取出口４との間には、投入口３から受入れた乗車券Ｐを取出口４へ搬送する券搬送手段としての搬送路２１が形成されている。搬送路２１は、取出口４の手前で分岐されていて、この分岐部には振分けフラッパ２２が設けられている。振分けフラッパ２２は、処埋し終わった乗車券Ｐを機外に放出する場合は取出口４へ導き、機内に集札する場合は収納部２３に導くようになっている。
【００２９】
搬送路２１には、投人口３から取出口４に向かって顧次、乗車券Ｐに記録されている磁気情報としての改札情報などを読取る読取手段としての読取ヘッド（磁気へッド）２４，２５、乗卓券Ｐに対して磁気情報を書込む書込手段としての書込ヘッド（磁気へッド）２６，２７、書込ヘッド２６，２７によって書込まれた情報を読取り、正しく書込まれたか否かを確認するための読取へッド（磁気へッド）２８，２９、乗車券Ｐが普通乗車券の場合に使用済のパンチを行なうパンチ部３０、および、処埋し終わった乗車券Ｐを機内に一時保留する保留部３１などが設けられている。
【００３０】
各読取、書込ヘッド２４〜２９には、搬送路２１として所定の間隔をあけ、かつ、それぞれの間隔を保持するように、それぞれ回転ローラ３２〜３７が相対向して設けられている。ここに、ヘッド２４，２６，２８は、乗車券Ｐがその磁気記録部を下にした状態で投入された際に用いられ、へッド２５，２７，２９は、乗車券Ｐがその磁気記録部を上にした状態で投入された際に用いられるようになっている。
【００３１】
投入口３には、乗車券Ｐを受入れたことを検知する検知器３８が、取出口４には、乗車券Ｐを排出したことを検知する検知器３９が、それぞれ設けられている。また、搬送路２１の読取ヘッド２４の手前、および、読取へッド２９の前方には、それぞれ搬送される乗車券Ｐの通過を検知する検知器４０，４１が設けられていて、これら検知器３８〜４１の各出力に基づき乗車券Ｐの搬送状態（券づまりなど）などを検出するようになっている。
【００３２】
なお、４２は搬送路２１を駆動する搬送用モータ、４３は後で詳細を説明する制御部である。
図４は、監視装置３００の外観構成を概略的に示すものである。監視装置３００は、全体の制御を行なうとともに、接続される各自動改札装置１００との通信制御などを行なう監視制御部３００Ａ、および、各自動改札装置１００の稼動状況、異常状態などを監視するとともに、各自動改札装置１００の動作設定などを行なう表示操作部３００Ｂから構成されている。
【００３３】
表示操作部３００Ｂは、たとえば、タッチパネル付可変表示部４５、および、各自動改札装置１００の異常状態を解除するための異常解除信号を入力する異常解除信号入力手段としての第２のリセットスイッチ４６から構成されていて、各種情報の可変表示を行なうとともに、画面上に表示されたボタンを直接指で押下することにより、各種操作を行なうことができるようになっている。第２のリセットスイッチ４６は、自動改札装置１００の異常状態をリセットする際、あるいは、弱者を通過させる際に係員が操作するもので、各自動改札装置１００ごとに設けられている。
【００３４】
図５は、自動改札装置１００における制御部４３の構成を詳細に示すものである。すなわち、全体の制御を司る制御手段としてのＣＰＵ（セントラル・プロセッシング・ユニット）５１には、ＣＰＵ５１の制御プログラムなどを記憶しているＲＯＭ（リード・オンリ・メモリ）５２、乗車券Ｐから読取った情報の記憶、および、制御プログラムのバッファとして情報を記憶する記憶手段としてのＲＡＭ（ランダム・アクセス・メモリ）５３、乗車券Ｐの使用が開始された入場駅（あるいは、入場駅に対応した入場駅コード）に対応した運賃情報を記憶している運賃メモリ５４、前記読取へッド２４，２５，２８，２９をそれぞれ制御する読取回路５５、前記書込ヘッド２６，２７をそれぞれ制御する書込回路５６、前記振分けフラッパ２２を駆動制御するフラッパ制御部５７、前記パンチ部３０を駆動制御するパンチ制御部５８、前記保留部３１を駆勤制御する保留部制御部５９、前記表示部５，１４をそれぞれ制御する表示制御部６０、前記音声案内用スピーカ６を駆動制御する音声案内制御部６１、前記検知器９〜１３の各検知出力に基づき通行者の通過状況などを検出する通行者検出部６２、前記検知器３８〜４１の各検知出力に基づき乗車券Ｐの搬送状態（券づまり）などを検出する搬送状態検出部６３、前記搬送用モータ４２を駆動制御する搬送制御部６４、前記ドア７を駆動するドア開閉機構６５を制御するドア制御部６６、異常発生時に警報を鳴動するブザーなどの警報部６７を駆動制御する警報制御部６８、前記第１のリセットスイッチ１６、リセット有効スイッチ１７、および、リセットスイッチ有効モード受付け表示器１８を制御する通行制御部６９、および、監視装置３００との間の通信制御を行なう通信制御部７０などが接続されている。
【００３５】
図６は、監視装置３００における監視制御部３００Ａの構成を詳細に示すものである。すなわち、全体の制御を司る制御手段としてのＣＰＵ７１には、ＣＰＵ７１の制御プログラムなどを記憶しているＲＯＭ７２、各種情報、および、制御プログラムのバッファとして情報を記憶する記憶手段としてのＲＡＭ７３、監視装置３００あるいは自動改札装置１００での異常発生時に警報を鳴動するブザーなどの警報部７４、自動改札装置１００との間の通信制御を行なう改札装置通信制御部７５、各種データを印字出力するプリンタ部７６、各種データをフロッピーディスクやハードディスクなどの記録媒体に記録する記録部７７、各種データを上位装置としてのデータ集計装置４００に対して送信するための通信制御を行なう上位通信制御部７８、および、係員に対して音声案内を行なう音声案内部７９などが接続されている。
【００３６】
図７は、表示操作部３００Ｂにおける表示部４５の表示画面の構成例を示している。図７において、８１はメニュー表示部で、たとえば、「監視」、「電源」、「設定」、「データ」の各ボタンから構成される。監視ボタンを押下すると、各自動改札装置１００の通路設定モードを表示するとともに、異常発生時には異常内容の表示を行なう。各自動改札装置１００の電源入／切設定を行なう場合には電源ボタン、各自動改札装置１００に対する各種設定を行なう場合には設定ボタン、各自動改札装置１００の通過人員データなどを表示する場合にはデータボタンの表示部を押下する。
【００３７】
８２は接続されている各自動改札装置１００の異常表示部で、接続されている自動改札装置１００の台数分、対応する号機番号とともに表示される。この場合、自動改札装置１００が正常に稼動している場合には、異常表示部８２内は無表示だが、自動改札装置１００で異常が発生すると、対応する号機番号の異常表示部８２内に異常内容が表示される。このとき、警報部７４が鳴動し、係員に異常発生を伝える。そして、自動改札装置１００で異常状態がリセットされると、異常表示部８２内に表示されていた異常内容は消去されるようになっている。
【００３８】
８３は各種操作画面や各自動改札装置１００の状態などを表示する操作画面表示部である。
次に、上記のような構成において、図８および図９に示すフローチャートを参照して動作を説明する。まず、ステップＳ０で、各自動改札装置１００および監視装置３００の各電源をオンし、ステップＳ１に進む。ステップＳ１では、自動改札装置１００のリセットモード受付けの設定を行なうために、監視装置３００に設けられたリセットモード受付スイッチを「入」に設定する。
【００３９】
すなわち、表示操作部３００Ｂにおいて、表示部４５に図７の画面を表示し、メニュー表示部８１の設定ボタン８４を押下する。設定ボタン８４が押下されると、表示部４５に図１０に示すような設定画面を表示する。まず、この設定画面１において、操作画面表示部８３に、自動改札装置１００に設けられた第１のリセットスイッチ１６の機能を有効にする第１のモードあるいは無効にする第２のモードに設定するモード設定手段としてのリセット有効／無効設定スイッチ８５、および、自動改札装置１００に設けられたリセット有効スイッチ１７によるモード変更を受付けるか否かを設定するリセットモード受付スイッチ８６を表示する。ここで、オペレータがリセットモード受付スイッチ８６を押下して「入」に設定することにより、表示部４５に図１１に示すような設定画面を表示する。
【００４０】
次に、図１１の設定画面において、各自動改札装置１００別に、あるいは、各自動改札装置１００を一括してリセット受付けの設定を行なう。すなわち、各自動改札装置１００別に設定する場合、表示部４５の操作画面表示部８３において、まず、変更ボタン８７を押下し、次に、各自動改札装置１００別に設けられた入／切設定ボタン８８を「切」または「入」に設定し（この場合、受付けるので「入」に設定する）、最後に確認ボタン８９を押下する。また、各自動改札装置１００を一括して設定する場合、表示部４５の操作画面表示部８３において、まず、変更ボタン８７を押下し、次に、全号機入ボタン９０または全号機切ボタン９１を押下し（この場合、受付けるので全号機入ボタン９０を押下する）、最後に確認ボタン８９を押下する。
【００４１】
こうして、リセット有効スイッチ１７によるモード変更を受付けるモードが設定されると、ステップＳ２に進み、監視装置３００に設けられたリセット有効／無効設定スイッチを無効に設定する。
【００４２】
すなわち、表示操作部３００Ｂにおいて、表示部４５に再び図１０の設定画面を表示を表示する。この設定画面において、オペレータがリセット有効／無効設定スイッチ８５を押下することにより、表示部４５に図１２に示すような設定画面を表示する。
【００４３】
次に、図１２の設定画面において、各自動改札装置１００別に、あるいは、各自動改札装置１００を一括してリセット有効／無効の設定を行なう。すなわち、各自動改札装置１００別に設定する場合、表示部４５の操作画面表示部８３において、まず、変更ボタン８７を押下し、次に、各自動改札装置１００別に設けられた入／切設定ボタン８８を「切」または「入」に設定し（この場合、無効であるので「切」に設定する）、最後に確認ボタン８９を押下する。また、各自動改札装置１００を一括して設定する場合、表示部４５の操作画面表示部８３において、まず、変更ボタン８７を押下し、次に、全号機入ボタン９０または全号機切ボタン９１を押下し（この場合、無効であるので全号機切ボタン９１を押下する）、最後に確認ボタン８９を押下する。
【００４４】
このようにして、自動改札装置１００の第１のリセットスイッチ１６は、その機能を無効にする第２のモード（以降、通常モードとも言う）に設定される。
こうして、通常モードが設定されると、ステップＳ３に進み、監視装置３００のＣＰＵ７１は、自動改札装置１００に対して、通常モードのモード設定信号とともにモード変更受付許可信号を送信する。自動改札装置１００のＣＰＵ５１は、監視装置３００からの通常モードのモード設定信号を受信すると、第１のリセットスイッチ１６の機能を無効にする通常モード（第２のモード）に設定する。したがって、この通常モード時、第１のリセットスイッチ１６が操作されても、その操作は無効となり、リセットの受付けは阻止される。
【００４５】
また、自動改札装置１００のＣＰＵ５１は、監視装置３００からのモード変更受付許可信号を受信すると、リセット有効スイッチ１７の機能を有効状態に設定する。したがって、この状態でリセット有効スイッチ１７が操作されれば、モード変更が可能となる。
【００４６】
さて、通常モードにおいて、ステップＳ４〜Ｓ８の改札処理が行なわれる。ステップＳ４は正常処理（判定正常）、ステップＳ５は判定異常（区間外（運賃不足）、期限切れ、使用済み、異常券など）、ステップＳ６は無札、無札逆進入、ステップＳ７は処理異常（自動改札装置側のトラブル）、ステップＳ８は係員の任意による自動改札装置１００のリセット（たとえば、係員による弱者の誘導など）である。
【００４７】
なお、自動改札装置１００に設けられたリセット有効スイッチ１７によるモード変更を受付けない場合、図１１の設定画面において、入／切設定ボタン８８を「切」に設定するか、全号機切ボタン９１を押下することにより、監視装置３００のＣＰＵ７１は、自動改札装置１００に対して、通常モードのモード設定信号とともにモード変更受付不可信号を送信する。
【００４８】
自動改札装置１００のＣＰＵ５１は、監視装置３００から送信されるモード変更受付不可信号を受信すると、リセット有効スイッチ１７の機能を無効状態に設定する。したがって、この状態でリセット有効スイッチ１７が操作されても、その操作は無効となり、モード変更の受付けは阻止される。
【００４９】
以下、上記した改札処理の具体例について説明する。
たとえば、通行者が１号機の自動改札装置１００を通って入場するとき、自分の所持する乗車券Ｐを投入口３に投入する。自動改札装置１００では、投入された乗車券Ｐの有効性を判定する。すなわち、投入口３に投入された乗車券Ｐは、搬送路２１によって取出口４へと搬送されるが、その搬送途中において、読取ヘッド２４（または２５）によって、乗車券Ｐに磁気記録されている改札情報が読取られ、読取回路５５を介してＣＰＵ５１に送られる。
【００５０】
ＣＰＵ５１は、上記読取情報から、その乗車券Ｐの期限および区間などの有効性を判定する。この判定の結果、有効であれば、ＣＰＵ５１は、書込回路５６を介して書込へッド２６（または２７）を制御することにより、乗車券Ｐに対して入場日時および人場駅などの入場情報を書込む。
【００５１】
次に、ＣＰＵ５１は、入場情報が正常に書込まれたことを確認するために、乗車券Ｐに書込まれた情報を読取回路５５を介して読取ヘッド２８（または２９）によって読取る。ＣＰＵ５１では、書込情報（書込んだ情報）と読取情報（チェックのために読取った情報）との照合を行なうことにより、書込みが正常に終了したか否かをチェックする。このチェックの結果、書込みが正常に終了した場合、ＣＰＵ５１はドア７を開状態のまま保持し、通行者はそのまま通路内を通過していく。
【００５２】
また、搬送状態検出部６３は、検知器４０，４１の各検知出力に基づき、搬送路２１で搬送される乗車券Ｐの券づまり異常を検出し、その検出結果をＣＰＵ５１に送る。
【００５３】
上記判定の結果、期限切れや区間切れなどの判定異常となった場合、ＣＰＵ５１は、投入された乗車券Ｐを取出口２２に放出し、通路進行方向のドア７を閉じ、通行者の通過を阻止するとともに、案内表示部５に判定結果を表示する。同時に、警報部６７を鳴動させて異常発生を知らせるとともに、音声案内用スピーカ６により、異常内容を通行者に知らせる。さらに、ＣＰＵ５１は、自動改札装置１００を異常状態に設定する。
【００５４】
また、券づまり異常が検出された場合、ＣＰＵ５１は、通路進行方向のドア７を閉じ、通行者の通過を阻止するとともに、案内表示部５に券づまり異常が生じたことを表示する。同時に、警報部６７を鳴動さぜて異常発生を知らせるとともに、音声案内用スピーカ６により、異常内容を通行者に知らせる。さらに、ＣＰＵ５１は、自動改札装置１００を異常状態に設定する。
【００５５】
そして、ＣＰＵ５１は、このような異常が生じると、監視装置３００に対してその異常内容を送信する。監視装置３００のＣＰＵ７１は、自動改札装置１００からの異常内容を受信すると、警報部７４を鳴動させて異常発生を知らせるとともに、その異常内容が判定異常か券づまり異常かを判定する。
【００５６】
この判定の結果、たとえば、異常内容が判定異常の期限切れであった場合、ＣＰＵ７１は、表示部４５の異常表示部８２に異常が発生した１号機の異常内容（期限切れ）が表示される。このとき、操作画面表示部８３には、警報停止ボタンが表示される。
【００５７】
ここで、警報停止ボタンが押下されると、ＣＰＵ７１は、警報部７４の鳴動を停止させるとともに、自動改札装置１００に対して警報停止命令を送信する。自動改札装置１００のＣＰＵ５１は、監視装置３００からの警報停止命令を受信すると、警報部６７の鳴動を停止させる。
【００５８】
また、ここで、表示操作部３００Ｂに設けられた第２のリセットスイッチ４６が押下されると、ＣＰＵ７１は、警報部７４の鳴動を停止させるとともに、自勤改札装置１００に対して異常解除信号を送信する。自動改札装置１００のＣＰＵ５１は、監視装置３００からの異常解除信号を受信すると、警報部６７の鳴動を停止させるとともに、異常状態をリセット（解除）し、自動改札装置１００を通常待機状態に戻す。
【００５９】
さて、ステップＳ４の正常処理において、第１のリセットスイッチ１６による自動改札装置１００のリセットを行なわない場合（Ｓ９）、ステップＳ１０に進み、通常モードの運用とする。
【００６０】
また、ステップＳ５の判定異常、あるいは、ステップＳ６の無札、無札逆進入において、第１のリセットスイッチ１６による自動改札装置１００のリセットを行なわない場合（Ｓ１１，Ｓ１３）、ステップＳ１２，Ｓ１４に進んで、所定時間後に自動的にリセットするオートリセット処理を行なった後、ステップＳ１０に進み、通常モードの運用とする。
【００６１】
一方、ステップＳ７の処理異常では、自動改札装置１００でのリセットが可能か否かを判断し（Ｓ１５）、可能であればステップＳ１６に進んで、第１のリセットスイッチ１６による自動改札装置１００のリセットを行なうか否かを判断し（Ｓ１６）、行なわない場合、あるいは、ステップＳ１５において不可能であれば、ステップＳ１７に進んで、係員対応あるいは保守員対応処理とする。
【００６２】
ステップＳ９，Ｓ１１，Ｓ１３，Ｓ１６において、第１のリセットスイッチ１６による自動改札装置１００のリセットを行なう場合、あるいは、ステップＳ８の係員の任意による自動改札装置１００のリセットの場合、ステップＳ１８に進む。
【００６３】
ステップＳ１８では、オペレータがリセット有効スイッチ１７を押下することにより、自動改札装置１００のＣＰＵ５１は、その信号を受付け、通常モード（第２のモード）にある第１のリセットスイッチ１６を強制的に第１のモードに切換え設定し、第１のリセットスイッチ１６の機能を有効にする。
【００６４】
また、自動改札装置１００のＣＰＵ５１は、リセットスイッチ有効モード受付け表示器１８をあらかじめ設定される所定時間だけ点灯させることにより（Ｓ１９）、リセット有効スイッチ１７が押下されて第１のリセットスイッチ１６が第１のモードに設定され、リセットスイッチ有効モードになったことを係員に報知し、ステップＳ２０に進む。
【００６５】
ステップＳ２０において、自動改札装置１００のＣＰＵ５１は、第１のリセットスイッチ１６が第１のモードに設定されて、リセットスイッチ有効モードになったことを示すモード変更信号を監視装置３００に対して送信する。監視装置３００のＣＰＵ７１は、自動改札装置１００からのモード変更信号を受信すると、監視装置３００と自動改札装置１００とで第１のリセットスイッチ１６の設定モードが不一致となるので、図１３に示すように、表示部４５の操作画面表示部８３における入／切設定ボタン８８の表示文字を「切」から「入」に変化させ、かつ、その文字を白黒反転表示することにより、リセット有効スイッチ１７が押下されてリセットスイッチ有効モードになったことを係員に報知するとともに、その旨を音声案内部７９で係員に音声案内し、さらに、第２のリセットスイッチ４６を点灯する。なお、音声案内は、たとえば、一定の周期で繰返し行なう。
【００６６】
図１３の例は、たとえば、５号機の自動改札装置１００において、リセット有効スイッチ１７が押下されて第１のリセットスイッチ１６が有効モード（第１のモード）になったことを表示している。
【００６７】
この場合、表示部４５のメニュー表示部８１において、監視ボタン９２を押下することにより、ＣＰＵ７１は、表示部４５に図１４に示すような監視・通路切換画面を表示するとともに、この表示画面において、異常表示部８２の対応する号機番号の表示部に、リセット有効スイッチ１７が押下されたことを示す文字、たとえば、３つの文字「ＲＳＴ」を表示し、係員に報知するとともに、その旨を音声案内部７９で係員に音声案内する。
【００６８】
図１４の例は、たとえば、５号機の自動改札装置１００において、リセット有効スイッチ１７が押下されて第１のリセットスイッチ１６が有効モード（第１のモード）になったことを表示している。
【００６９】
また、図１４の表示画面において、異常表示部８２の文字「ＲＳＴ」が表示されている表示部９３を押下することにより、監視装置３００のＣＰＵ７１は、表示部４５の表示画面を図１４から図１５に示すように変化させるとともに、この表示画面において、操作画面表示部８３に詳細画面９４を点滅表示させる。
【００７０】
なお、これらの表示動作（図１３〜図１５）は、第１のリセットスイッチ１６の監視装置３００と自動改札装置１００とでの設定モードの不一致状態が解除されると、解除されるようになっている。
【００７１】
さて、係員は、リセット有効スイッチ１７を押下して第１のリセットスイッチ１６を有効モード（第１のモード）に設定した後、第１のリセットスイッチ１６を押下し（Ｓ２１）、ステップＳ２２に進む。ステップＳ２２において、自動改札装置１００のＣＰＵ５１は、異常状態を解除するリセット処理を行なう。
【００７２】
ステップＳ１８において、誤操作などにより再び通常モードに戻した場合、ステップＳ２３に進み、係員による自動改札装置１００のリセットを行なうか否かを判断し、中止する際はステップＳ１２もしくはＳ１４へジャンプする。リセットする場合は、ステップＳ２４に進み、再びリセット有効スイッチ１７を押下することにより、通常モード（第２のモード）にある第１のリセットスイッチ１６を強制的に第１のモードに切換え設定し、ステップＳ１９へジャンプして、前述した動作を行なう。
【００７３】
ステップＳ２２において、自動改札装置１００の異常状態リセット処理が終了すると、ステップＳ２５に進み、第１のリセットスイッチ１６を通常モード（第２のモード）に復帰するか（戻すか）否かを判断する。
【００７４】
ステップＳ２５において、通常モードに復帰しない場合（係員による通常モードへの戻し忘れも本ステップに含むものとする）、ステップＳ２６に進み、監視装置３００における表示操作部３００Ｂの表示内容はリセットスイッチ有効モードになっているので、監視装置３００の表示操作部３００Ｂにて通常モードに復帰した場合は（リセット有効／無効設定スイッチ８５を無効に設定する）、ステップＳ１０へジャンプし、通常モードに復帰しない場合はステップＳ２７に進む。ステップＳ２７では、リセットスイッチ有効モードでの運用とする。
【００７５】
ステップＳ２５において、通常モードに復帰する場合、ステップＳ２８に進み、再びリセット有効スイッチ１７を押下することにより、第１のモードにある第１のリセットスイッチ１６を通常モード（第２のモード）に復帰させ、ステップＳ２９に進む。
【００７６】
ステップＳ２９において、自動改札装置１００のＣＰＵ５１は、第１のリセットスイッチ１６が第２のモードに復帰されて、通常モードになったことを示すモード復帰信号を監視装置３００に対して送信する。監視装置３００のＣＰＵ７１は、自動改札装置１００からのモード復帰信号を受信すると、リセットスイッチ有効モードになっている表示操作部３００Ｂの表示内容を通常モードの状態に復帰させ、ステップＳ１０へジャンプする。
【００７７】
以上の説明における、自動改札装置１００の各スイッチの設定状態に対する自動改札装置１００の動作を表の形で示すと、図１６のようになる。また、監視装置３００の各スイッチの設定状態に対する監視装置３００の動作と表示を表の形で示すと、図１７のようになる。
【００７８】
次に、係員がリセット有効スイッチ１７により第１のリセットスイッチ１６を第２のモード（通常モード）へ戻し忘れた場合の監視装置３００での表示制御の変形例について、図１８に示すフローチャートを参照して説明する。
【００７９】
まず、ステップＳ３１において、監視装置３００のＣＰＵ７１は、自動改札装置１００から送信されるリセットスイッチ有効モードになったことを示すモード変更信号を受信すると、ステップＳ３２に進み、受信したモード変更信号をＲＡＭ７３に格納する。
【００８０】
次に、ステップＳ３３において、ＣＰＵ７１は、ＲＡＭ７３に格納されたモード変更信号を参照することにより、第１のリセットスイッチ１６の設定モードが、自動改札装置１００と監視装置３００とで一致するか否かを判定し、一致している場合は不一致の表示は行なわない。
【００８１】
この例の場合、ＲＡＭ７３に格納されたモード変更信号はリセットスイッチ有効モードを示し、監視装置３００での設定モードは通常モードであるので、両者は不一致となり、よってステップＳ３４に進む。ステップＳ３４では、時間計測用のタイマ（図示しない）を起動し、ステップＳ３５に進む。ステップＳ３５では、タイマの計測時間があらかじめ設定される所定時間経過したか否かを判定し、所定時間経過していない場合はステップＳ３３に戻り、上記動作を繰り返す。
【００８２】
ステップＳ３５において、タイマの計測時間が所定時間経過した場合、係員による戻し忘れであると判断し、ステップＳ３６に進み、上記タイマを初期化して、ステップＳ３７に進む。ステップＳ３７では、たとえば、図１４に示すように、表示部４５における異常表示部８２の対応する号機番号の表示部に、第１のリセットスイッチ１６の設定モードが不一致であることを示す文字、たとえば、３つの文字「ＲＳＴ」を表示し、係員に報知するとともに、その旨を音声案内部７９で係員に音声案内する。
【００８３】
図１４の例は、たとえば、５号機の自動改札装置１００において、第１のリセットスイッチ１６の設定モードが自動改札装置１００と監視装置３００とで不一致であることを表示している。
【００８４】
図１４の表示画面において、オペレータが異常表示部８２の文字「ＲＳＴ」が表示されている表示部９３を押下することにより（ステップＳ３８）、監視装置３００のＣＰＵ７１は、第１のリセットスイッチ１６を第２のモード（通常モード）へ戻すためのモード復帰信号を自動改札装置１００に対して送信する（ステップＳ３９）。自動改札装置１００のＣＰＵ５１は、監視装置３００からのモード復帰信号を受信すると、第１のモードにある第１のリセットスイッチ１６を通常モード（第２のモード）に復帰させる。
【００８５】
また、自動改札装置１００のＣＰＵ５１は、第１のリセットスイッチ１６が第２のモードに復帰されて、通常モードになったことを示すモード復帰信号を監視装置３００に対して送信する。監視装置３００のＣＰＵ７１は、自動改札装置１００からのモード復帰信号を受信すると、リセットスイッチ有効モードになっている表示操作部３００Ｂの表示内容を通常モードの状態に復帰させる。
【００８６】
このように、自動改札装置１００からの直接リセット不可なモード設定時でも、自動改札装置１００のポール部８に設けたリセット有効スイッチ１７により、自動改札装置１００に設けた第１のリセットスイッチ１６を有効モードにすることで、自動改札装置１００を直接リセットすることが可能となる。
【００８７】
また、リセット有効スイッチ１７により、第１のリセットスイッチ１６を通常モードに戻すことで、いたずらや不正通行者などによる自動改札装置１００の不正リセットを阻止することが可能となる。
【００８８】
さらに、係員がリセット有効スイッチ１７により第１のリセットスイッチ１６を通常モードへ戻し忘れた場合、それを検出して監視装置３００で表示するので、いたずらや不正通行者などによる自動改札装置１００の不正リセットの阻止により効果的である。
【００８９】
【発明の効果】
以上詳述したように本発明の自動改札システムによれば、自動改札装置に設けられた異常解除信号入力手段（リセットスイッチ）を、その機能を有効にする第１のモードあるいは無効にする第２のモードに設定するモード設定手段を設けるとともに、異常解除信号入力手段が第２のモードに設定されているとき、その異常解除信号入力手段を強制的に第１のモードに切換え設定するモード変更手段を設けることにより、自動改札装置側での直接リセットが不可なモード時でも、係員による自動改札装置側での直接リセットが容易に可能となり、しかも、たとえば、不正乗車した通行者による自動改札装置のリセット（異常状態の解除）を阻止することが可能となる。
【図面の簡単な説明】
【図１】本発明の実施の形態に係る自動改札システムの構成を概略的に示すブロック図。
【図２】自動改札装置の外観構成を示す斜視図。
【図３】自動改札装置の内部構成を概略的に示す構成図。
【図４】監視装置の外観構成を示す斜視図。
【図５】自動改札装置における制御部の構成を示すブロック図。
【図６】監視装置における監視制御部の構成を示すブロック図。
【図７】監視装置の表示部における表示画面の構成例を示す図。
【図８】動作を説明するためのフローチャート。
【図９】動作を説明するためのフローチャート。
【図１０】動作を説明するための監視装置における表示部の表示内容例を示す図。
【図１１】動作を説明するための監視装置における表示部の表示内容例を示す図。
【図１２】動作を説明するための監視装置における表示部の表示内容例を示す図。
【図１３】動作を説明するための監視装置における表示部の表示内容例を示す図。
【図１４】動作を説明するための監視装置における表示部の表示内容例を示す図。
【図１５】動作を説明するための監視装置における表示部の表示内容例を示す図。
【図１６】自動改札装置の各スイッチの設定状態に対する自動改札装置の動作を示す図。
【図１７】監視装置の各スイッチの設定状態に対する監視装置の動作と表示を示す図。
【図１８】係員がリセット有効スイッチにより第１のリセットスイッチを通常モードへ戻し忘れた場合の監視装置での表示制御の変形例を説明するためのフローチャート。
【符号の説明】
１００……自動改札装置、３００……監視装置、３００Ａ……監視制御部、３００Ｂ……表示操作部、２……自動改札装置本体、３……投入口、４……取出口、５……案内表示部、６……音声案内用スピーカ、７……ドア（通行制御手段）、９，１０……出口検知器、１１……進入検知器、１２……進入検知器、１３……中央通過検知器、１６……第１のリセットスイッチ（異常解除信号入力手段）、１７……リセット有効スイッチ（モード変更手段）、１８……リセットスイッチ有効モード受付け表示器（報知手段）、２１……搬送路（券搬送手段）、２４，２５，２８，２９……読取ヘッド、２６，２７……書込ヘヅド、４５……タッチパネル付可変表示部、４６……第２のリセットスイッチ（異常解除信号入力手段）、５１……ＣＰＵ（制御手段）、５２……ＲＯＭ、５３……ＲＡＭ、５４……運賃メモリ、５５……読取回路、５６……書込回路、６０……表示制御部、６１……音声案内制御部、６２……通行者検出部、６３……搬送状態検出部、６４……搬送制御部、６５……ドア開閉機構、６６……ドア制御部、６９……通行制御部、７０……通信制御部、Ｐ……乗車券（記録媒体）、７１……ＣＰＵ（制御手段）、７２……ＲＯＭ、７３……ＲＡＭ、７５……改札装置通信制御部、８１……メニュー表示部、８２……異常詳細表示部、８３……操作画面表示部、８４……設定ボタン、８５……リセット有効／無効設定スイッチ（モード設定手段）、８６……リセットモード受付スイッチ。
【図１】
0003730328.tif 000002
【図２】
0003730328.tif 000003
【図３】
0003730328.tif 000004
【図４】
0003730328.tif 000005
【図５】
0003730328.tif 000006
【図６】
0003730328.tif 000007
【図７】
0003730328.tif 000008
【図８】
0003730328.tif 000009
【図９】
0003730328.tif 000010
【図１０】
0003730328.tif 000011
【図１１】
0003730328.tif 000012
【図１２】
0003730328.tif 000013
【図１３】
0003730328.tif 000014
【図１４】
0003730328.tif 000015
【図１５】
0003730328.tif 000016
【図１６】
0003730328.tif 000017
【図１７】
0003730328.tif 000018
【図１８】
0003730328.tif 000019